(57)【要約】【課題】  農作物用の乾燥機においてガンタイプバーナの初期燃焼を安定させる。【解決手段】  乾燥室（３），貯溜室（２），昇降機（１１）を備えた穀物乾燥機において、低燃焼用燃料ポンプ（５６ａ）と高燃焼用燃料ポンプ（５６ｂ）から燃料の送られるガンタイプバーナ（５）を設け、内部に熱風の通過する空間を備えた遠赤外線放射体（２３）を設ける。バーナ（５）の燃焼開始時には低燃焼用燃料ポンプ（５６ａ）を間欠駆動してバーナ（５）の少量燃焼を開始し、設定時間経過後に低燃焼用燃料ポンプ（５６ａ）の間欠駆動状態で高燃焼用燃料ポンプ（５６ｂ）を間欠駆動しバーナ（５）を多量燃焼する制御部（３８）を設ける。【選択図】図５
2015124896.tif 000002
【特許請求の範囲】
【請求項１】
農産物乾燥用の乾燥室（３）と、低燃焼用燃料ポンプ（５６ａ）と高燃焼用燃料ポンプ（５６ｂ）から燃料が送られ燃焼するガンタイプバーナ（５）と、内部に熱風の通過する空間を備えた遠赤外線放射体（２３）とを備えた農産物用乾燥機において、バーナ（５）の燃焼開始時には低燃焼用燃料ポンプ（５６ａ）を駆動してバーナ（５）の燃焼を開始し、設定時間経過後に低燃焼用燃料ポンプ（５６ａ）の駆動状態で高燃焼用燃料ポンプ（５６ｂ）を駆動しバーナ（５）を燃焼する制御部（３８）を設けたことを特徴とする農作物乾燥機。
【請求項２】
請求項１の発明において、前記バーナ（５）の燃焼開始時には低燃焼用燃料ポンプ（５６ａ）を設定周期で間欠駆動し、設定時間経過後に前記低燃焼用燃料ポンプ（５６ａ）を間欠駆動又は連続駆動しながら高燃焼用ポンプ（５６ｂ）の間欠駆動を開始する制御部（３８）を設けたことを特徴とする農作物乾燥機。
【請求項３】
請求項１又は請求項２の発明において、乾燥運転終了後においてバーナ送風ファン（５８）及び吸引排気ファン（７）を設定時間にわたり駆動を継続するバーナ冷却運転を行い、該バーナ冷却運転時間を低燃焼用燃料ポンプ（５６ａ），高燃焼用ポンプ（５６ｂ）の駆動時間の長短に応じて前記バーナ冷却運転時間を長短に変更設定する制御部（３８）を設けたことを特徴とする農作物乾燥機。
【請求項４】
請求項１乃至請求項３のいずれかの発明において、前記乾燥室（３）における乾燥農産物の投入量を設定する投入量入力手段（２６，４８）を設け、前記低燃焼用燃料ポンプ（５６ａ）と高燃焼用燃料ポンプ（５６ｂ）とをそれぞれ設定周期毎に送り工程と送り停止工程の間欠駆動をするにあたり、乾燥室（３）の農産物投入量の多少に応じて送り工程時間を増減し、前記投入量の多いときには前記バーナ（５）の燃焼開始時の再着火回数を少なくし、投入量の少ないときには再着火回数を多くする制御部（３８）を設けたことを特徴とする農作物乾燥機。
【発明の詳細な説明】
【技術分野】
【０００１】
本発明は、農産物用乾燥機に関するものである。
【背景技術】
【０００２】
穀物タンク，穀物タンクの下方に設けた乾燥部，乾燥部と穀物タンクを連絡する揚穀機並びに乾燥用の熱風を発生するためのガンタイプバーナを備えると共に、張込量入力手段，仕上水分入力手段，被乾燥穀物の水分検出手段及び熱風温度検出手段を設け、穀物の張込量及び水分値から熱風の目標温度を算出し、かつ、熱風温度検出手段の検出値を前記目標温度と一致させるべく前記バーナの燃焼量を制御する演算装置を設けてなる穀物乾燥機において、乾燥部は穀物を流下させる複数の乾燥室，乾燥室の一側に隣接して熱風を供給する熱風室及び乾燥室の他側に隣接する排風室を設け、熱風室から乾燥室を経て排風室へ通過する風量を検出するとともに、この風量値とあらかじめ設定した基準風量値とをとを比較し、この差に応じて前記目標温度を変更するよう、排風室と乾燥室との境界付近には風量検出手段を設け、この風量検出手段を前記演算制御装置に連絡したものは、公知である（特許文献１）。
【先行技術文献】
【特許文献】
【０００３】
【特許文献１】特開平１−２３０９７９号公報
【発明の概要】
【発明が解決しようとする課題】
【０００４】
ガンタイプバーナでは熱風温度を調節制御するために通常例えば１分間の１周期における燃焼工程と燃焼停止工程の時間をそれぞれ増減調節しながら燃焼工程と燃焼停止工程を交互に繰り返す燃焼制御がなされる。
【０００５】
遠赤外線放射体を搭載する農作物用乾燥機においては、燃焼開始時に急激に温度を上昇させると、爆燃（ノッキング）による音を発することがある。
本発明は、このような不具合を防止することを課題とする。
【課題を解決するための手段】
【０００６】
請求項１の発明は、農産物乾燥用の乾燥室（３）と、低燃焼用燃料ポンプ（５６ａ）と高燃焼用燃料ポンプ（５６ｂ）から燃料が送られ燃焼するガンタイプバーナ（５）と、内部に熱風の通過する空間を備えた遠赤外線放射体（２３）とを備えた農産物用乾燥機において、バーナ（５）の燃焼開始時には低燃焼用燃料ポンプ（５６ａ）を駆動してバーナ（５）の燃焼を開始し、設定時間経過後に低燃焼用燃料ポンプ（５６ａ）の駆動状態で高燃焼用燃料ポンプ（５６ｂ）を駆動しバーナ（５）を燃焼する制御部（３８）を設けたことを特徴とする。
【０００７】
請求項２の発明は、請求項１の発明において、前記バーナ（５）の燃焼開始時には低燃焼用燃料ポンプ（５６ａ）を設定周期で間欠駆動し、設定時間経過後に前記低燃焼用燃料ポンプ（５６ａ）を間欠駆動又は連続駆動しながら高燃焼用ポンプ（５６ｂ）の間欠駆動を開始する制御部（３８）を設けたことを特徴とする。
【０００８】
請求項３の発明は、請求項１又は請求項２の発明において、乾燥運転終了後においてバーナ送風ファン（５８）及び吸引排気ファン（７）を設定時間にわたり駆動を継続するバーナ冷却運転を行い、該バーナ冷却運転時間を低燃焼用燃料ポンプ（５６ａ），高燃焼用ポンプ（５６ｂ）の駆動時間の長短に応じて前記バーナ冷却運転時間を長短に変更設定する制御部（３８）を設けたことを特徴とする。
【０００９】
請求項４の発明は、請求項１乃至請求項３のいずれかの発明において、前記乾燥室（３）における乾燥農産物の投入量を設定する投入量入力手段（２６，４８）を設け、前記低燃焼用燃料ポンプ（５６ａ）と高燃焼用燃料ポンプ（５６ｂ）とをそれぞれ設定周期毎に送り工程と送り停止工程の間欠駆動をするにあたり、乾燥室（３）の農産物投入量の多少に応じて送り工程時間を増減し、前記投入量の多いときには前記バーナ（５）の燃焼開始時の再着火回数を少なくし、投入量の少ないときには再着火回数を多くする制御部（３８）を設けたことを特徴とする。
【発明の効果】
【００１０】
請求項１の発明によると、遠赤外線放射体（２３）の内部の温度が急激に上昇することによる爆燃（ノッキング）による音を発することを不具合を防止することができる。
請求項２の発明によると、遠赤外線放射体（２３）の温度上昇を円滑良好にすることができる。
【００１１】
請求項３の発明によると、請求項１又は請求項２記載の発明の前記効果に加えて、乾燥運転の終了に伴うバーナ（５）の燃焼停止後のバーナ冷却運転時間を適切に実行することができる。
【００１２】
請求項４の発明によると、請求項１乃至請求項３のいずれかの発明の効果に加えて、バーナ（５）の燃焼開始時の着火を円滑適切にすることができる。
【図面の簡単な説明】
【００１３】
【図１】穀物乾燥機の切断正面図。
【図２】穀物乾燥機下部の切断側面図。
【図３】穀物乾燥機下部の背面図。
【図４】低燃焼用燃料ポンプ，高燃焼用燃料ポンプの駆動と熱風温度の関係を示す図。
【図５】制御ブロック図。
【図６】低燃焼用燃料ポンプ，高燃焼用燃料ポンプの間欠駆動状態を示すタイムチャート。
【発明を実施するための形態】
【００１４】
前記技術思想に基づいて具体的に構成された実施の形態について以下図面を参照しつつ説明する。
まず、図１及び図２に基づきこの発明を具備する循環式穀物乾燥機の全体構成について説明する。
【００１５】
１は乾燥機の機枠で、この機枠１内には貯溜室２，乾燥室３，集穀室４を上方から下方に順次配設している。乾燥室３には複数の左右穀粒流下通路９，９を形成し、左右穀粒流下通路９，９の前後一側にはバーナ５のバーナ風胴２５に通じる熱風室６を配設し、左右穀粒流下通路９，９の前後他側には吸引排気ファン７のファン胴７ａに通じる排風室８，８を配設し、左右穀粒流下通路９，９の下端部に繰出バルブ１０を設けている。
【００１６】
前記機枠１の外側には集穀室４の前後一側に集めた穀粒を貯溜室２に揚穀還元する昇降機１１を立設している。この昇降機１１内の上下の駆動プーリ，従動プーリにバケットベルト１３を巻き掛け、集穀室４の底部に設ける下部搬送装置１４により乾燥穀粒を前後一側に移送し、昇降機１１により揚穀するようにしている。昇降機１１で揚穀された穀粒を上部搬送装置１６の始端側に供給し、更に上部搬送装置１６により横送して貯溜室２の上部中央に配設する回転拡散板１８に送り、貯溜室２内に拡散落下させる。
【００１７】
前記昇降機１１，下部搬送装置１４，上部搬送装置１６から構成されている穀粒循環系は、昇降機１１の機枠上部に配設している昇降機モータ（図示省略）により駆動される。また、昇降機１１における上下中途部の壁面には水分計（図示省略）を設け、バケットベルト１３の上昇行程と下降行程の間隔部に設けた取込み口（図示省略）からサンプル粒を取り込み、水分値を測定する。この水分計は、例えば一対の電極ロール間でサンプル粒を１粒づつ圧縮粉砕し、その抵抗値を電気的に処理し一粒づつの水分値に換算する公知のものである。
【００１８】
図２〜図４に示すように、吸引排気ファン７のファン胴７ａに接続されている排風排出筒３１の上部には排出された乾燥済み排風を熱風室６へ戻す排風戻し筒３２を設け、排風戻し筒３２の終端側を乾燥室３の後側機壁３３の排風戻し口に接続し、排風戻し筒３２を経由した乾燥済み排風を熱風室６に再度供給するようにしている。
【００１９】
排風戻し筒３２には排風調節弁３４を設け、乾燥済み排風を機外への排出量と排風戻し筒３２への戻し量との割合を調節するようにしている。排風調節弁３４は排風調節モータ（図示省略）で駆動調節する。
【００２０】
また、左右穀粒流下通路９，９の左右中間部に位置する乾燥室３には、遠赤外線放射体２３を配設している。この遠赤外線放射体２３は、熱風室６内にあってバーナ５の燃焼面と対向するように配設している前後方向に沿う内側遠赤外線放射体２３ａと、その外側を被覆するように配設されている外側遠赤外線放射体２３ｂとで構成されている。
【００２１】
この外側遠赤外線放射体２３ｂの後側小径部に熱風排出筒２４の始端側を後側に延出するように接続し、熱風排出筒２４の始端側部を前側を向くように側面視半円状に屈曲形成し、その中間部，終端側を外側遠赤外線放射体２３ｂの上側を通して前側に延出し、熱風室６の前側部に開口している。
【００２２】
内側遠赤外線放射体２３ａ，外側遠赤外線放射体２３ｂには遠赤外線放射塗料を塗布し、集穀室４の左右穀粒流下通路９，９を流下する穀粒に遠赤外線放射熱を浴びせ穀粒の乾燥を促進させる。
【００２３】
しかして、バーナ５で生成された熱はバーナ送風ファン５８の圧風作用，吸引排気ファン７の吸引作用で内側遠赤外線放射体２３ａ，外側遠赤外線放射体２３ｂ，熱風排出筒２４の内部を順次通過し熱風室６内に熱風として供給され、更に、熱風は左右穀粒流下通路９，９，左右排風室８，８を流れながら穀粒を乾燥し、吸引排気ファン７により吸引排出される。吸引排気ファン９で排出された乾燥済み排風は排風戻し筒３２の排風調節弁３４を経て熱風室６の後側部に再度流れ、熱風室６の熱風と混合され左右穀粒流下通路９，９の穀粒に作用し乾燥する。
【００２４】
図２に示すように、バーナ風胴２５の上方にコントロールボックス３５を設け、コントロールボックス３５の前側に設けた操作パネル３６には、張込スイッチ４１，通風スイッチ４２，乾燥スイッチ４３，排出スイッチ４４，停止スイッチ４５を設けている。操作パネル３６には運転表示画面（図示省略）を設け、乾燥運転中の検出熱風温度，測定水分値，乾燥運転終了までの残時間を順次表示するようにしている。
【００２５】
また、操作パネル３６には張込量を設定する張込量設定スイッチ４８，到達目標水分値を設定する水分設定スイッチ４９，及び，これらの張込量設定スイッチ４８，水分設定スイッチ４９の設定値を表示する設定表示パネル（図示省略），該設定表示パネルの設定値を変更する数値増減スイッチ５１を設けている。また、乾燥対象である穀物種類を設定する穀物設定スイッチ５２，乾燥速度を設定する乾燥速度設定スイッチ５３を設けている。
【００２６】
なお、熱風室６内の温度を検出する熱風温度検出センサ５４，外気温度を検出する外気温度検出センサ５５を設けている。
コントロールボックス３５には制御部３８を設け、制御部３８の入力側には各種スイッチ，センサ類を接続し、出力側には、出力回路，駆動回路を経由して吸引排気ファン７，昇降機モータ（図示省略），繰出バルブモータ（図示省略），バーナ駆動手段（図示省略），水分計駆動手段（図示省略），表示装置（図示省略）などを接続している。
【００２７】
次に、穀物乾燥機の乾燥運転の概要について説明する。
オペレータが張込スイッチ４１を操作すると、昇降機，上部ラセン１６が駆動され張込穀粒が順次貯溜室２に張り込まれる。張込運転が終了すると、オペレータは張込量スイッチ４８を操作し張込穀粒量を設定する（なお、図２に示すように張込量検出手段２０を設け、張込量を検出し自動設定するようにしてもよい）。次いで、水分設定スイッチ４９を操作し到達目標水分値（例えば１４％）を設定し、次いで、穀物設定スイッチ５２を操作し乾燥対象穀物を設定し、乾燥速度設定スイッチ５３を操作し乾燥速度を設定する。
【００２８】
次いで、乾燥スイッチ４３を操作すると乾燥運転が開始され、繰出バルブ１０，下部ラセン１４，昇降機１１，上部ラセン１６の循環系の駆動が開始される。次いで、バーナ５の燃焼が開始され、制御部３８の乾燥運転制御手段に基づき設定された穀粒張込量，設定乾燥速度，水分計２６の測定穀物水分値，検出外気温度などの条件によりバーナ５の燃焼量が調節されつつ乾燥運転が実行され、水分計２６の測定水分値が設定水分値に到達すると、バーナ５の燃焼を停止し乾燥運転を終了する。
【００２９】
本実施の形態のバーナ５はいわゆるガンタイプバーナであり、燃料タンク（図示省略）から低燃焼用燃料ポンプ５６ａ（例えば送り能力６リットル／１時間），高燃焼用燃料ポンプ５６ｂ（例えば送り能力６リットル／１時間）で送り出した燃料をバーナ５のノズルから噴霧し、イグナイタ５７で着火燃焼させる。
【００３０】
本実施の形態の燃料ポンプの繰り出し能力は常時一定のものを採用し、バーナ５を定常燃焼させ熱風温度は一定となるようにしている。しかしながら、穀物乾燥機の穀物の張込量や外気温度に応じて熱風温度を変更制御する必要がある。そこて、所定単位時間の周期（例えば１分）において低燃焼用燃料ポンプ５６ａ，高燃焼用燃料ポンプ５６ｂの燃料送り工程に伴う燃焼工程と燃料送り停止工程に伴う燃焼停止工程とを交互に設定し、所定の周期で燃焼，停止を繰り返すようにし熱風温度を高低に制御するようにしている。
【００３１】
すなわち、目標熱風温度が低いほど、１周期の燃焼工程時間を短くし（例えば４０秒）、燃焼停止工程を長く（例えば２０秒）する。また、目標熱風温度が高いほど、１周期の燃焼工程を長くし（例えば５５秒）、１周期の燃焼停止工程を短く（例えば５秒）している。
【００３２】
図４に示すように、低燃焼用燃料ポンプ５６ａと高燃焼用燃料ポンプ５６ｂは間欠燃焼運転と連続燃焼運転の組み合わせで熱風温度を調節している。そして、さらに、前述の通り間欠運転時の１周期の燃焼工程時間の調節により、無段階に近い熱風温度を調節できる構成である。
【００３３】
吸引排気ファン７は排風ファンモータ６０により駆動している。排風ファンモータ６０は固定速モータを用いてもよいが、可変速モータを採用し、燃焼工程から燃焼停止工程に移行したときに、吸引排気ファン７の回転数を標準から低速に減少制御するようにしてもよい。これにより吸引排気ファン７で吸引する熱風量を減少させることにより、燃焼停止中の熱風室６内の熱風温度の急激な低下による穀温の低下を抑制し、穀粒の胴割れを防止することができる。さらに、吸引排気ファン７の回転数を減少制御すると共に乾燥済み排風を熱風室６に戻す割合を増加させ、燃焼停止工程から燃焼工程に移行したときには吸引排気ファン７の回転数を標準回転数に復帰させるようにしてもよい。
【００３４】
次に、バーナ５の燃焼制御について説明する。
燃料ポンプは低燃焼用燃料ポンプ５６ａと高燃焼用燃料ポンプ５６ｂとで構成し、制御部３８の燃焼制御手段に基づきバーナ５の燃焼開始時には低燃焼用燃料ポンプ５６ａを間欠駆動し少量燃焼での燃焼を開始し、設定時間経過後、例えば１周期を２回行った（すなわち２分後）後に低燃焼用燃料ポンプ５６ａの間欠駆動を継続しながら高燃焼用燃料ポンプ５６ｂの間欠駆動を開始し、順次、バーナ５を燃焼量を増加させるようにしている。
【００３５】
前記構成によると、バーナ５の初期燃焼を円滑良好にすることができる。また、初期燃焼時に低燃焼用燃料ポンプ５６ａと高燃焼用燃料ポンプ５６ｂを同時に駆動すると、遠赤外線放射体２３内の急激な温度上昇により爆燃（ノッキング）による異常燃焼が発生し金槌でたたくような音を発することがあるが、このような不具合を防止することができる。
【００３６】
また、低燃焼用燃料ポンプ５６ａと高燃焼用燃料ポンプ５６ｂとをそれぞれ設定時間周期で燃料送り工程と燃料送り停止工程の間欠駆動をするようにし、バーナ５の燃焼開始時には低燃焼用燃料ポンプ５６ａを所定時間の設定周期で間欠駆動し、バーナ５の多量燃焼時には低燃焼用燃料ポンプ５６ａの間欠駆動を継続しながら高燃焼用ポンプ５６ｂの間欠駆動を開始するようにし、遠赤外線放射体２３の温度上昇を円滑にするようにしている。
【００３７】
また、穀物乾燥機の乾燥運転停止時には、低燃焼用燃料ポンプ５６ａ，高燃焼用燃料ポンプ５６ｂの間欠駆動を停止し、設定時間にわたりバーナ送風ファン５８及び吸引排気ファン７の駆動を継続しその後に停止するようにし、バーナ７を冷却した後に停止するバーナ冷却運転する。そして、このバーナ冷却運転時間は低燃焼用燃料ポンプ５６ａ，高燃焼用ポンプ５６ｂの１周期当りの駆動時間の長短に応じてバーナ冷却運転時間を長短に変更するようにし、乾燥運転終了後のバーナ５の冷却運転時間を適切にするようにしている。
【００３８】
また、乾燥室３の穀物張込量の手動設定あるいは張込量自動設定の張込量の多少に応じて設定周期毎の低燃焼用燃料ポンプ５６ａ，高燃焼用燃料ポンプ５６ｂの燃料送り工程，燃料送り停止工程の間欠駆動比率を増減調節し、熱風温度を高低に調節するようにしている。
【００３９】
また、乾燥室３の穀物張込量の多いときにはバーナ５の燃焼開始時における再着火回数を少なくし、穀物張込の少ないときには再着火回数を多くし、バーナ５の燃焼開始時の着火燃焼を円滑にしている。
【００４０】
なお、図６は、燃焼開始時における低燃焼用燃料ポンプ５６ａ，高燃焼用燃料ポンプ５６ｂの間欠駆動状態を示すタイムチャートである。
次に、バーナ５の燃焼制御の他の実施形態について説明する。
【００４１】
貯溜室２，乾燥室３，集穀室４，遠赤外線放射体２３を備え、穀粒の張込量を設定する手段，水分計２６を備え、検出水分値，検出熱風温度，検出外気温度などのデータにより乾燥運転を制御する制御部３８を備え、遠赤外線放射体２３の左右両側に左右穀粒流下通路９，９を設け、低燃焼用燃料ポンプ５６ａと高燃焼用燃料ポンプ５６ｂとをそれぞれ設定時間の周期で燃焼工程と燃焼停止工程の間欠駆動をしながらバーナ５を燃焼制御し、遠赤外線放射体２３の下方に設けた単一の繰出バルブ１０で穀粒を繰り出しながら穀粒を乾燥する穀物乾燥機において、制御部３８の燃焼制御手段に基づきバーナ５の初期点火工程では低燃焼用燃料ポンプ５６ａだけを所定時間の周期（例えば１分）において所定時間のポンプのＯＮ，ＯＦＦ駆動でバーナ５を燃焼させ、所定時間経過後には低燃焼用燃料ポンプ５６ａのＯＮ，ＯＦＦ駆動を停止し、高燃焼用燃料ポンプ５６ｂだけを所定時間の周期（例えば１分）で所定時間のポンプのＯＮ，ＯＦＦ駆動でバーナ５を燃焼させ、次いで、設定時間経過後に低燃焼用燃料ポンプ５６ａ及び高燃焼用燃料ポンプ５６ｂを共にＯＮ／ＯＦＦ駆動する通常の燃焼制御に移行する。
【００４２】
前記構成によると、バーナ５の初期点火性能を向上させ、バーナ５の燃焼開始時における燃焼量を順次高め遠赤外線放射体２３の初期温め効果を高め、遠赤外線放射効果を円滑化し乾燥効率を高めることができる。
【００４３】
前記穀物乾燥機において、バーナ５の燃焼開始時にイグナイタ５７を作動し着火燃焼させるにあたり、制御部３８のバーナ着火制御手段に基づき穀粒の張込量の多少に応じてバーナ５の燃焼開始時のイグナイタ５７の再着火作動回数を増減変更（例えば、張込量が所定量より少ない少量張込の場合には再着火回数を１０回とし、所定量より多い多量張込の場合には着火回数を５回にする）するようにしている。
【００４４】
少量張込の場合には外気温度が低いときにはバーナ５が着火しにくいことがある。これは張込穀物が少ないときには穀粒流下通路９，９全体に穀粒が満たされていないことがあり、熱風が穀粒流下通路９，９を吹き抜け風速が速くなりバーナ５の着火が困難となる。しかし、前記構成によると、少量張込時には着火回数を増やすことにより、再点火工程で正常燃焼に復帰させバーナ５を円滑に着火燃焼させることができる。
【００４５】
前記穀物乾燥機において、繰出バルブ１０の上方近傍に例えば圧電センサで構成されている投入量検出手段５９，…（図１に示す）を前後方向に複数設け、投入量検出手段５９，…の検出投入量が所定の基準投入量より少なくなると、制御部３８のバーナ燃焼減少制御手段に基づき低燃焼用燃料ポンプ５６ａ，高燃焼用燃料ポンプ５６ｂの燃料送り工程の時間を最小に調節しバーナ５の燃焼量を下げ、乾燥穀粒の過剰乾燥を防止するようにしている。
【００４６】
前記穀物乾燥機において、繰出バルブ１０の上方近傍に圧電センサで構成されている投入量検出手段５９，…を前後方向に複数設け、投入量検出手段５９，…の検出投入量が所定の基準投入量より少なくなると、制御部３８のバーナ燃焼減少制御手段，バーナ風調ファン制御手段に基づき低燃焼用燃料ポンプ５６ａ，高燃焼用燃料ポンプ５６ｂの燃料送り工程の時間を最小に調節しバーナ５の燃焼量を下げると共に、バーナ風調ファン５９の回転数を減少調節するようにしている。
【００４７】
前記構成によると、低燃焼用燃料ポンプ５６ａ，高燃焼用燃料ポンプ５６ｂの燃料送り工程の時間を最小に調節しながらバーナ風調ファン５９の回転数を下げることにより、バーナ５の失火を防止しながら燃焼量を減少させ、乾燥穀粒の過剰乾燥を防止することができる。
【００４８】
前記穀物乾燥機において、排風温度センサ（図示省略）の検出値が所定基準値を超えて上昇した場合には、制御部３８の異常報知手段に基づき乾燥異常報知をし，あるいは，例えばバーナ５の燃焼を停止する異常措置を講じるようにしている。なお、穀粒の貯溜量が乾燥室３を超えて貯溜室２の下部まで満たされている場合には、基準値を例えば５０℃とし、あるいは、穀粒の貯溜量が乾燥室３を満たしていない場合には例えば基準値を５５℃とし、前記所定基準値を変更設定できるようにしている。
【００４９】
前記構成によると、穀物乾燥機の穀粒張り込み量の多少に応じて乾燥済み排風の異常高温を適切に判定し、乾燥穀粒の過剰乾燥を適切に防止することができる。
【符号の説明】
【００５０】
２      貯溜室
３      乾燥室
４      集穀室
５      バーナ
７      吸引排気ファン
２３      遠赤外線放射体
３８      制御部
５６ａ    低燃焼用燃料ポンプ
５６ｂ    高燃焼用燃料ポンプ
５７      イグナイタ
５８      バーナ送風ファン
【図１】
2015124896.tif 000003
【図２】
2015124896.tif 000004
【図３】
2015124896.tif 000005
【図４】
2015124896.tif 000006
【図５】
2015124896.tif 000007
【図６】
2015124896.tif 000008